(57)【特許請求の範囲】
【請求項１】
開口部を有し、この開口部から生ゴミを収容すると共に生ゴミの水切りを可能に形成した袋体と、
この袋体を取り付け、この袋体を折り畳みないし広げることが可能で、この広げた状態を保持して袋体を立脚し、さらに使用済み後に収容した生ゴミを加圧して生ゴミに含まれる水分を絞り出す少なくとも３本の支柱と、
一方の先端部が前記支柱の１本に軸着部を介して回動可能に取り付けられると共に、逆側の先端部に係止部を形成して他の支柱に設けた突起部に係止され、前記支柱による袋体の開口状態と立脚状態とを補強するための固定棒部材と、
を備えたことを特徴とする台所用ゴミ容器。
【請求項２】
前記支柱は、前記袋体を、固定的又は着脱可能に取り付けることを特徴とする請求項１に記載の台所用ゴミ容器。
【請求項３】
前記袋体、前記支柱及び前記固定棒部材は、可燃性又は腐食性の材質で形成されることを特徴とする請求項１又は２に記載の台所用ゴミ容器。
【発明の詳細な説明】
【０００１】
【発明の属する分野】
本発明は、台所の流し台等（以下、シンクと称す）に設置され、生ゴミを収容して廃棄するための袋体を用いて構成される台所用ゴミ容器に関し、特に三角容器等の容器を不要にすると共に、生ゴミの水切りを容易にでき且つそのままの状態で廃棄可能な使い捨て方式の台所用ゴミ容器に関する。
【０００２】
【従来の技術】
通常、一般家屋内の台所のシンクには、調理等によって不要となる生ゴミを一時的に収容するための台所用ゴミ容器が設置されている場合が多く、台所用ゴミ容器を用いることによって、不要となる生ゴミを一時的に収容することができ、また、生ゴミに含まれる水分を排出させることが可能となる。このため、台所用ゴミ容器は、生ゴミを燃えるゴミとして排出するために、必要な台所用用品である。
【０００３】
このような従来より用いられている台所用ゴミ容器の一例を図８に示す。
【０００４】
図８は従来の台所用ゴミ容器の一例を示す構成斜視図であり、台所のシンクに設置された状態を示している。
【０００５】
図８に示すように、通常、用いられる台所用ゴミ容器３０は、生ゴミを収容するためのネット状又は不織布の袋体３１と、この袋体３１を容器内部に装着して生ゴミ等を収容し易くするための三角コーナー容器３２で構成されている。
【０００６】
三角コーナ容器３２は、上記構成の袋体３１をその容器内周面に這わせるようにして装着するもので、装着時に袋体３１の開口部を三角コーナ容器３２の開口部の外周面に折り返して装着することにより、この袋体３１の装着状態を保持するようになっている。また、この三角コーナ容器３２は、シンクのコーナに都合良く設置することができるようにその底辺が三角形状に形成されており、また、その容器の外周面あるいは底面には、収容した生ゴミに含まれる水分を排出させるための複数の孔、あるいはネット状に形成された排出口（図示せず）が設けられている。
【０００７】
上記構成において、使用時には、袋体３１を広げた状態にて三角コーナ容器３２内部に装着し、その後、この袋体３１の開口部を三角コーナ容器３２の開口部の外周面側に折り返すことにより形成した台所用ゴミ容器３０を、シンクのコーナに設置して使用する。
【０００８】
生ゴミを上記台所用ゴミ容器３０に収容したとすると、生ゴミに含まれる水分は、自然に台所用ゴミ容器３０下部方向へと下降し、やがて、ネット状の袋体３１及び三角コーナ容器３２の外周面に設けられた複数の孔、または底面に設けられた排出口を介して外部へと排出される。
【０００９】
その後、生ゴミが充分に溜まった場合には、折り返してある袋体３１を持ち上げ、そして、その袋体３１の上端部をつまんで回転させながら袋体３１を巻張することで、収容された生ゴミの水切りを再度行い、さらに別のビニール袋等に収容して、燃えるゴミとして処分（廃棄）している。
【００１０】
ところで、上記構成の台所用ゴミ容器における衛生面を考慮すると、上記袋体３１は、生ゴミが溜まるとそれ自体使い捨てることができるため問題はないが、一方三角コーナ容器３２は常に使用状態であることから、毎回袋体３１の交換時に洗わないと不衛生である。このため、衛生的にはこの三角コーナ容器３２を不要にすることが望ましいが、上記構成の台所用ゴミ容器３０では、それは不可能である。また、ただ容器を置いただけでは生ゴミに含まれる水分を完全に排出させることができないことから、処分する際に上述したような方法等で排出させるしかなく、つまり水切り動作が容易ではないとう不都合があった。
【００１１】
図９は従来の台所用ゴミ容器の他の一例を示す構成斜視図である。この台所用ゴミ容器４０では、衛生的に好ましくない三角コーナ容器を無くし、その代わりにシンク上面に吸盤等で取り付けられるリング状支持部材４１を設け、このリング状支持部材４１に例えばビニールで形成された袋体４２を取り付ることにより構成されている。
【００１２】
上記台所用ゴミ容器に使用される袋体４２は、生ゴミに含まれる水分を排出させるための複数の孔がその外周面に設けられて形成されており、上記リンク状支持部材４１に取り付けることで、該袋体４２の開口部が生ゴミ収容可能となるように広げられるとともに、その広げられた状態が保持される。
【００１３】
生ゴミを処分する際には、生ゴミを収容し袋体４２のみを取り外し、上記従来例と同様に上記袋体４２を絞るなどして水切りを行い、さらに別のビニール袋等に収容して、燃えるゴミとして処分（廃棄）する。
【００１４】
しかしながら、上記構成の台所用ゴミ容器では、衛生的に好ましくない三角コーナ容器を用いずにリング状支持部材４１を用いた構成となっているが、この場合でも、上述の従来例の台所用ゴミ容器３０（図８参照）と同様にリング状支持部材４１を使い捨てることが不可能であるため、袋体の交換毎に洗浄しないと衛生的に好ましくないという問題点がある。また、燃えるゴミとして処分する際の水切りを行う場合には、図８に示す台所用ゴミ容器と同様に水切り動作を容易に行うことができず、ほぼ完全に水分を排出させるためには困難を要していた。
【００１５】
また、台所用ゴミ容器としては、環境上、生ゴミとともに燃える用ごみとして廃棄可能な使い捨てが望ましいが、上述したように従来の技術では開発されていないのが現状である。
【００１６】
【発明が解決しようとする課題】
上記の如く、従来の台所用ゴミ容器では、生ゴミの水切りを行う動作が容易ではなく、また生ゴミを収容した袋体とともに、この袋体が取り付けられる三角コーナ容器、あるいはリング状支持部材を使い捨てることができないという問題点があり、衛生上好ましいものではなかった。
【００１７】
そこで、本発明は上記問題点に鑑みてなされたもので、支柱により、袋体に収容された生ゴミの水切りを容易に行うことができ、また、生ゴミを収容する袋体及びこれらの支柱を可燃性又は腐食性の材質で形成することにより、生ゴミとともに使い捨てることができ、さらに衛生的に好ましくない三角コーナ容器等を不要にすることができるため、衛生的にもコスト的にも優れた台所用ゴミ容器の提供を目的とする。
【００１８】
【課題を解決する手目の手段】
本発明の一態様による台所用ゴミ容器は、開口部を有し、この開口部から生ゴミを収容すると共に生ゴミの水切りを可能に形成した袋体と、
この袋体を取り付け、この袋体を折り畳みないし広げることが可能で、この広げた状態を保持して袋体を立脚し、さらに使用済み後に収容した生ゴミを加圧して生ゴミに含まれる水分を絞り出す少なくとも３本の支柱と、
一方の先端部が前記支柱の１本に軸着部を介して回動可能に取り付けられると共に、逆側の先端部に係止部を形成して他の支柱に設けた突起部に係止され、前記支柱による袋体の開口状態と立脚状態とを補強するための固定棒部材と、
を備えている。
【００２４】
【発明の実施の形態】
以下、発明の実施の形態について図面を参照して説明する。
【００２５】
図１は本発明に係る台所用ゴミ容器の第１実施形態例を示す構成斜視図である。
【００２６】
図１に示すように、本実施形態例の台所用ゴミ容器１は、開口部を有し、この開口部から生ゴミを収容すると共に生ゴミの水切りを可能に形成した袋体８と、この袋体８を取り付け、この袋体８を折り畳みないし広げることが可能で、この広げた状態を保持して袋体８を立脚し、さらに使用済み後に収容した生ゴミを加圧して生ゴミに含まれる水分を絞り出す少なくとも３本の支柱２、３、４とで構成されている。
【００２７】
袋体８は、可燃性又は腐食性の材質を用いて開口部及び底面８ａを有して形成されている。袋体８の外周面及び底面８ａは、例えばネットあるいは不織布等により形成されるようになっており、また、複数の生ゴミが外部に出ない程度の複数の孔を設けて形成される場合もある。
【００２８】
さらに、この袋体８の底面８ａとしては、例えば袋体８の開口部を開口させ且つ張りを持たせるのに必要な強度のある材質のもので形成することもできる。
【００２９】
この袋体８の所定位置の側面には、少なくとも３本の支柱２、３、４が各接合部２ｂ、３ｂ、４ｂを介して接着固定されており、これらの支柱２、３、４によって、前記袋体８の開口部を開口させた状態で確実に立脚させるように支持することが可能となる。
【００３０】
上記支柱２、３、４としては、可燃性又は腐食性の材質を用いて形成されるようになっている。
【００３１】
例えば、台所用ゴミ容器の形状を図１に示すように３角形状に構成した場合には、上記支柱として、三角形状に形成された第１の支柱２、第２の支柱３及び第３の支柱４が設けられている。第１、第２及び第３の支柱２、３、４は、可燃性又は腐食性があると共に適度な強度を備えた材質で形成されており、例えば、木、厚手の紙、パルプ等の部材を用いて形成されるようになっている。この場合、適度な強度とは、袋体８の開口部を広げた状態で該開口部に張りを持たせ且つ立脚させる程度の強さである。
【００３２】
このように構成された台所用ゴミ容器１は、例えば図２に示すように折り畳まれた状態にて、別の包装用袋等に封入されて販売される。つまり、この台所用ゴミ容器１は図中に示すように平らな状態に折り畳むことが可能となり、使用時には、上記の如く、第１、第２及び第３の支柱２、３、４を広げるとともに、袋体８の底面８ａを広げることにより、袋体８の開口部が広げられて該袋体８を立脚させることで使用可能状態となる。
【００３３】
上記構成において、生ゴミの水切りを行う場合には、例えば図６に示すように、第１、第２及び第３の支柱２、３、４の両端側を使用者の手で持ち、さらにこれらの支柱に圧力を加えるように絞ることにより、これら支柱に挟持される袋体８内部の生ゴミから、該生ゴミに含まれる水分を排出させることができる。
【００３４】
したがって、本実施形態例によれば、従来の台所用ゴミ容器よりも、生ゴミの水切りを容易に行うことができ、また、生ゴミに含まれる水分を完全とは言わないものまでも充分に排出させることができる。また、生ゴミを収容する袋体８とこれに取り付けられ各支柱２、３、４とが可燃性のある材質で台所用ゴミ容器１として構成されているため、処分する際には生ゴミとともに使い捨てることが可能となる。また、従来技術とは異なり、衛生的に好ましくない三角コーナ容器等の器具を用いずに台所ゴミ容器としての機能を果たすことができるため、極めて衛生的であるという効果を得る。
【００３５】
尚、本実施形態例においては、台所用ゴミ容器１の形状については、シンクのコーナに設置するのに理想的な三角形状とすることが望ましいが、本発明では、これに限定されることはなく、例えば四角形状に構成しても良く、この場合、袋体８の底面の形状についても上記容器１の形状に応じて形成すれば良い。
【００３６】
図３は本発明の係る台所用ゴミ容器の第２実施形態例を示し、さらに袋体８の開口状態を保持、固定することを可能にした台所用ゴミ容器を示す構成斜視図である。
【００３７】
図３に示すように、本実施形態例の台所用ゴミ容器１１は、開口部を有し、この開口部から生ゴミを収容すると共に生ゴミの水切りを可能に形成した袋体１８と、この袋体１８を取り付け、この袋体１８を折り畳みないし広げることが可能で、この広げた状態を保持して袋体１８を立脚し、さらに使用済み後に収容した生ゴミを加圧して生ゴミに含まれる水分を絞り出す少なくとも３本の支柱２、３、４と、これらの支柱２、３、４によって袋体８の開口状態と立脚状態とを補強するための３本の固定棒部材５、６、７とで構成されている。
【００３８】
袋体１８及び支柱２、３、４は、前記第１実施形態例と同じである。
【００３９】
本実施形態例では、例えば生ゴミに含まれる水分等の影響により上記支柱２、３、４が濡れてしまい、支柱による袋体１８の開口状態の保持力が損なわれることも考えられるが、このような場合、これらの支柱による保持力をさらに補強するための補強部材として３本の固定棒部材５、６、７が設けるられている。これら３本の固定棒部材５、６、７についても、上記支柱と同様の材質で形成されるようになっている。
【００４０】
図４はこれらの固定部材５、６、７と第１及び第３の支柱２、４との接続構成を示す一部破断した斜視図である。
【００４１】
図４に示すように、３本の固定棒部材５、６、７の内、固定棒部材５、６については、その先端部が前記第１の支柱２の下側に軸着部２ａを介して回動可能に取り付けられており、また、夫々の逆側の先端部は、第２及び第３の支柱３、４に設けられた突起部３ａ、４ａとに係止するための係止部５ａ、６ａを形成している。つまり、固定棒部材５は第１の支柱２の軸着部２ａを支点に回動させた後、その先端部の係止部５ａを第３の支柱４の突起部４ａに係止することで、第１、第３の支柱２、４間に介在する袋体１８の面に張りを持たせることができる。また、他方の固定棒部材６についても同様に回動させた後、第２の支柱３の突起部３ａに固定部材６の係止部６ａを係止させることで、第１、第２の支柱２、３間に介在する袋体１８の面に張りを持たせることができる。
【００４２】
また、固定棒部材７については、図示はしないがこの固定棒部材７の先端部が第２の支柱３の下側に軸着部を介して回動可能に取り付けられるとともに、逆の先端部には上記固定棒部材と同様に係止部が設けられている。したがって、この固定部材７が第２の支柱２の軸着部を支点に回動させた後、先端部の係止部を、第３の支柱４に設けられたもう一方の突起部とに係止することで、上記と同様に第２、第３の支柱３、４間の袋体１８の面に張りを持たせることが可能となる。即ち、、上記支柱が水で濡れて開口状態の保持力が損なわれた場合でも、これらの固定部材５、６、７によって、上記支柱２、３、４を固定するとともに、これら支柱による開口状態の保持力を強化することが可能となる。
【００４３】
したがって、上記構成によれば、前記実施形態例と同様に動作する他に、例えば生ゴミに含まれる水分等の影響により上記支柱２、３、４が濡れてしまい、支柱による袋体１８の開口状態の保持力が損なわれたとしても、上記固定棒部材５、６、７により、支柱による保持力をさらに補強することが可能となり、台所用ゴミ容器１１としての本来の機能を果たすことができる。
【００４４】
次に、図３に示す台所用ゴミ容器の使用方法について図５及び図６を参照しながら詳細に説明する。図５は袋体に溜まった生ゴミを処分する際に各固定部材を取り外す場合を説明するための説明図であり、図６は取り外した台所ゴミ容器１を用いて生ゴミの水切りを行う場合の動作を説明するための説明図である。
【００４５】
いま、図３に示す台所用ゴミ容器１内に所定量の生ゴミが溜まり、処分するものとする。すると、先ず、使用者は第３の支柱４の突起部４ａ及び第２の支柱３の突起部３ａから、夫々係止されている固定棒部材５、６の係止部５ａ、６ａを外し、その後、各固定棒部材５、６を、第１の支柱２の夫々の軸着部２ａを軸にして図中の矢印の示す方向に回動させて第１の支柱２とに接合させる。
【００４６】
また、もう一方の固定棒部材７についても同様に第３の支柱４の突起部（図示せず）から外し、この固定棒部材７を第２の支柱３の軸着部３ａを軸にして回動させて、第２の支柱３とに接合させる。
【００４７】
その後、生ゴミの水切りを行う場合には、前記第１実施形態例と同様に行う。つまり、例えば図４に示すように、固定棒部材５、６を含む第１の支柱２、固定棒部材７を含む第２の支柱３及び第３の支柱４とのの両端側を使用者の手で持ち、さらにこれらの支柱に圧力を加えるように絞ることにより、これら支柱に挟持される袋体１８内部の生ゴミに含まれる水分を排出させることができる。
【００４８】
したがって、本実施形態例によれば、３本の固定棒部材５、６、７を用いていることから、例えば生ゴミに含まれる水分等の影響により上記支柱が濡れてしまい、支柱の有する開口状態の保持力が損なわれたとしても、上記第１実施形態例よりも、袋体１８の開口部の開口状態をさらに補強し且つ保持することが可能となる。また、前記第１実施形態例と同様に、生ゴミの水切りを容易に行うことができ、また、生ゴミに含まれる水分を完全とは言わないものまでも充分に排出させることもできる。また、生ゴミを収容する袋体１８とこれに取り付けられ各支柱２、３、４及び固定棒部材５、６、７とが可燃性又は腐食性の材質を用いて台所用ゴミ容器１１として構成されているため、処分する際には生ゴミとともに使い捨てることが可能となる。さらに、上記第１実施形態例と同様に、衛生的に好ましくない三角コーナ容器等の器具を用いずに台所ゴミ容器としての機能を果たすことができるため、極めて衛生的であるという効果を得る。
【００４９】
ところで、上記第１及び第２実施形態例では、生ゴミを収容する袋体８、１８が各支柱２、３、４に接合固定されていたが、本発明では、上記袋体８、１８を着脱可能に構成するように実施することも可能である。このような実施形態例を図７を用いて説明する。
【００５０】
図７は本発明に係る台所用ゴミ容器の第３実施形態例を示し、袋体を着脱可能に構成した場合の容器における一部破断した支柱近傍の側面図であり、図７（ａ）は袋体を係止するための挿通手段を各支柱に設けた場合を示し、図７（ｂ）は袋体を係止するための挟持固定手段を各支柱に設けた場合を示している。
【００５１】
つまり、本実施形態例では、前記第１及び第２実施形態例とは異なり、生ゴミを収容する袋体１８ａと、各支柱２、３、４（例えば固定棒部材を含む場合もある）とは別部材とし、袋体１８ａと、この袋体１８ａを取り付ける支柱群（仮に第１、第２及び第３の支柱２、３、４で１つのユニットとする）とが１セットとして構成される。
【００５２】
図７（ａ）に示す例では、各支柱２、３、４の所定位置に、袋体１８ａを貫通して取り付けられるように貫通部１２を有して形成された切り欠き部が設けられている。つまり、本例においては、台所用ゴミ容器１、１１の使用時には、袋体１８ａの所定位置の側面部に対して各支柱に設けられた貫通部１２を貫通させるとともに、その貫通部１２の下端部の方でこの袋体１８ａの側面部を保持する。これにより、別体で形成された袋体１８ａの開口部を開口させるとともに、この開口状態を保持し立脚することが可能となる。
【００５３】
また、図７（ｂ）に示す例では、予め各支柱２、３、４に対して、袋体１８ａの側面部を取り付ける所定位置の側面が延設してなる挟持片１３を形成する。この場合、この挟持片１３は折曲して下方向に回動可能に構成することで、該挟持片１３と該支柱の側面とで袋体１８ａの側面部を挟持することが可能となる。また、各支柱の挟持片１３の先端部と接合する所定位置には、突起部１４を設けて構成するとともに、前記挟持片１３の先端部の対応する位置には、この突起部１４が嵌入して固定されるような大きさの嵌入孔１３ａを設けて構成する。
【００５４】
つまり、本例においては、台所用ゴミ容器１、１１の使用時には、袋体１８ａの所定位置の側面部を各支柱に設けられた挟持片１３で挟持すると同時に各支柱の突起部１４を各挟持片１３の嵌入孔１３ａに嵌入させて固定する。これにより、別体で形成された袋体１８ａの開口部を開口させるとともに、この開口状態を保持し立脚することが可能となる。
【００５５】
したがって、本実施形態例によれば、少なくとも３本の支柱２、３、４が袋体１８ａを着脱可能に形成されていることから、上記袋体とは別の袋体をも使用することが可能となるため、使用範囲が広がり、また、販売時の包装形態のコンパクト化にも寄与することができる。さらに、袋体１８ａを前記実施形態例と同様のものを用いれば、前記第１、第２実施形態例と同様の効果を得ることができるのは勿論である。
【００５６】
【発明の効果】
以上説明したように本発明によれば、支柱により、袋体に収容された生ゴミの水切りを容易に行うことができ、また、生ゴミを収容する袋体及びこれらの支柱を可燃性又は腐食性の材質で形成することにより、生ゴミとともに使い捨てることができ、さらに衛生的に好ましくない三角コーナ容器等を不要にすることができるため、衛生的にもコスト的にも優れた効果を得ることができる。
【図面の簡単な説明】
【図１】本発明に係る台所用ゴミ容器の第１実施形態例を示す構成斜視図。
【図２】図１に示す容器を折り畳んだ状態を示す上面図。
【図３】本発明に係る台所用ゴミ容器の第２実施形態例を示す構成斜視図。
【図４】支柱のリンク構造及び係止手段の構成を示す斜視図。
【図５】生ゴミを廃棄する場合の動作を説明するための説明図。
【図６】生ゴミを廃棄する場合の動作を説明するための説明図。
【図７】本発明に係る台所用ゴミ容器の第３実施形態例を示す支柱の側面図。
【図８】従来の三角容器を用いた台所用ゴミ容器を示す斜視図。
【図９】従来のリング状止め部材を用いた台所用ゴミ容器を示す斜視図。
【符号の説明】
１、１１…台所用ゴミ容器、
２…第１の支柱、
３…第２の支柱、
４…第３の支柱、
２ｂ、３ｂ、４ｂ…軸着部、
３ａ、４ａ…突起部、
５ａ、６ａ…係止部、
３ｂ、４ｂ…接合部、
５、６、７…固定棒部材、
８、１８…袋体（ネット）、
９…生ゴミ。
【図１】
0004101354.tif 000002
【図２】
0004101354.tif 000003
【図３】
0004101354.tif 000004
【図４】
0004101354.tif 000005
【図５】
0004101354.tif 000006
【図６】
0004101354.tif 000007
【図７】
0004101354.tif 000008
【図８】
0004101354.tif 000009
【図９】
0004101354.tif 000010